(57)【要約】【課題】耐候性に優れ、着脱を容易に行うことができるチェーンカバーを提供すること、及び大多数の外リンクに着脱が容易にできるチェーンカバーを嵌着し、残りの一つの外リンクに外れ防止用のチェーンカバーを嵌着するだけで、全てのチェーンカバーがチェーンから外れないようにすることができるチェーンカバー付きチェーンを提供すること。【解決手段】チェーンカバー１１は、金属製の水平基板１２と一対の垂直基板１３とで断面コの字状に形成され、垂直基板１３には、連結ピン端部９ａが嵌入可能な垂直切欠部１４と水平切欠部１５とからなる一対の逆Ｌ字状の切欠部１６が形成される。チェーンカバー１１は、連結ピン端部９ａが垂直切欠部１４に入るようにして上方から外リンク７に嵌め込まれ、次いで、水平方向移動されることで水平切欠部１５に連結ピン端部９ａが嵌合して、外リンク７に嵌着される。【選択図】図１
2006307883.tif 000002
【特許請求の範囲】
【請求項１】
内リンク及び外リンクが連結ピンを介して連結されてなるチェーンの外リンクに上方から嵌着可能な、金属製の水平基板と該水平基板の両端から垂下する垂直基板とで断面コの字状に形成されたチェーンカバーであって、
前記垂直基板には、前記外リンクの外側に突出する一対の連結ピン端部が嵌入可能な垂直切欠部と水平切欠部とからなる一対の逆Ｌ字状の切欠部が形成され、                  前記逆Ｌ字状切欠部の上部における水平切欠部は、嵌入された前記連結ピン端部の外周面が上下部及び奥行き終端部の三箇所で接触する大きさに形成され、
前記チェーンカバーは、ピッチラインに略々匹敵する位置より上方の部分がチェーンピッチの２倍の長さを有すると共に、該位置より下方の部分における前記垂直基板の両端部が傾斜態様で切欠されていることを特徴とするチェーンカバー。
【請求項２】
内リンク及び外リンクが連結ピンを介して連結されてなる無端状チェーンの各々の外リンクにチェーンカバーが嵌着されたチェーンカバー付きチェーンにおいて、
前記チェーンの大多数の外リンクには、金属製の水平基板と該水平基板の両端から垂下する一対の垂直基板とで形成された断面コの字状のチェーンカバーが、該垂直基板に形成された一対の逆Ｌ字状切欠部の上部における水平切欠部に、前記外リンクの外側に突出する一対の連結ピン端部の外周面を上下部及び奥行き終端部の三箇所で接触させて嵌合することにより嵌着され、
前記チェーンの少なくとも一つの外リンクには、水平基板と該水平基板の両端から垂下する一対の垂直基板とで断面コの字状に形成されたばね鋼製のチェーンカバーが、該垂直基板に形成された一対のピン孔に、前記外リンクの外側に突出する一対の連結ピン端部が嵌合して、該外リンクを挟持するように嵌着され、
前記チェーンに装着された全てのチェーンカバーは、該チェーンの緊張水平状態において、前記各内リンク中央の位置で互いに隣接するチェーンカバーの端面がピッチライン上方において密着すると共に、ピッチライン下方においてテーパ状に離間していることを特徴とするチェーンカバー付きチェーン。
【発明の詳細な説明】
【技術分野】
【０００１】
本発明は、ローラチェーン、ローラのないブシュチェーン、ブシュレスチェーン等のチェーンに装着されるチェーンカバー及びチェーンカバー付きチェーンに関し、特に、外リンクに嵌着し易いように形成された断面コの字状のチェーンカバー、及び該チェーンカバーが装着されたチェーンカバー付きチェーンに関する。
【背景技術】
【０００２】
従来、チェーンカバーは、動力伝達用のローラチェーン、ブシュチェーン、ブシュレスチェーンに装着される場合には、チェーンに塗布された油脂の飛散を防止するする目的で用いられ（特許文献１参照。）、コンベヤ用チェーンに装着される場合には、搬送物を載置する搬送板の目的で用いられる（特許文献２参照。）。また、これらの目的で用いられるチェーンカバーは、外リンクに嵌着する必要があるが、位置を間違えて内リンクに装着されることが屡々起こるので、これを防止するために内リンクに装着できないように水平基板内面に誤着防止用の干渉突部を形成したチェーンカバーが提案されている（特許文献３参照。）。
【特許文献１】実公平３−７４７８号公報
【特許文献２】実開昭５０−１２８８８３号公報
【特許文献３】特開平８−１２１５４２号公報
【発明の開示】
【発明が解決しようとする課題】
【０００３】
前記従来のチェーンカバーは、プラスチック製のもので耐候性が劣ると共に、装着し易いように内面に傾斜案内部を形成したり、誤着防止用干渉突起を形成したりするために複雑な形状となり、傾斜案内部を形成した場合は、装着時に無理に外リンク上方から押し込むためメンテナンス時に取り外しが困難になり、また、耐候性を向上させるために、ステンレス、アルミニウムなどの金属製とするとチェーンカバー内面に上記と同じような複雑な形状を形成することが困難になる、という問題がある。
【０００４】
そこで、本発明は、前述したような従来技術の問題点を解決し、耐候性に優れ、着脱を容易に行うことができるチェーンカバーを提供すること、及び大多数の外リンクに着脱が容易にできるチェーンカバーを嵌着し、残りの一つの外リンクに外れ防止用のチェーンカバーを嵌着するだけで、無端状チェーンに装着された全てのチェーンカバーがチェーンから外れないようにすることができるチェーンカバー付きチェーンを提供することを目的とする。
【課題を解決するための手段】
【０００５】
請求項１に係る本発明は、内リンク及び外リンクが連結ピンを介して連結されてなるチェーンの外リンクに上方から嵌着可能な、金属製の水平基板と該水平基板の両端から垂下する垂直基板とで断面コの字状に形成されたチェーンカバーであって、前記垂直基板には、前記外リンクの外側に突出する一対の連結ピン端部が嵌入可能な垂直切欠部と水平切欠部とからなる一対の逆Ｌ字状の切欠部が形成され、前記逆Ｌ字状切欠部の上部における水平切欠部は、嵌入された前記連結ピン端部の外周面が上下部及び奥行き終端部の三箇所で接触する大きさに形成され、前記チェーンカバーは、ピッチラインに略々匹敵する位置より上方の部分がチェーンピッチの２倍の長さを有すると共に、該位置より下方の部分における前記垂直基板の両端部が傾斜態様で切欠されているチェーンカバー、という構成とすることにより前記課題を解決したものである。
【０００６】
請求項２に係る本発明は、内リンク及び外リンクが連結ピンを介して連結されてなる無端状チェーンの各々の外リンクにチェーンカバーが嵌着されたチェーンカバー付きチェーンにおいて、前記チェーンの大多数の外リンクには、金属製の水平基板と該水平基板の両端から垂下する一対の垂直基板とで形成された断面コの字状のチェーンカバーが、該垂直基板に形成された一対の逆Ｌ字状切欠部の上部における水平切欠部に、前記外リンクの外側に突出する一対の連結ピン端部の外周面を上下部及び奥行き終端部の三箇所で接触させて嵌合することにより嵌着され、前記チェーンの少なくとも一つの外リンクには、水平基板と該水平基板の両端から垂下する一対の垂直基板とで断面コの字状に形成されたばね鋼製のチェーンカバーが、該垂直基板に形成された一対のピン孔に、前記外リンクの外側に突出する一対の連結ピン端部が嵌合して、該外リンクを挟持するように嵌着され、前記チェーンに装着された全てのチェーンカバーは、該チェーンの緊張水平状態において、前記各内リンク中央の位置で互いに隣接するチェーンカバーの端面がピッチライン上方において密着すると共に、ピッチライン下方においてテーパ状に離間しているチェーンカバー付きチェーン、という構成とすることにより前記課題を解決したものである。
【発明の効果】
【０００７】
請求項１に係る本発明によれば、チェーンカバーは、金属製の水平基板と該水平基板の両端から垂下する垂直基板とで断面コの字状に形成されているので、従来のプラスチック製のものに比較して耐候性を向上させることができる。
【０００８】
前記垂直基板には、チェーンの外リンク外側に突出する一対の連結ピン端部が嵌入可能な垂直切欠部と水平切欠部とからなる一対の逆Ｌ字状の切欠部が形成され、前記逆Ｌ字状切欠部の上部における水平切欠部は、嵌入された前記連結ピン端部の外周面が上下部及び奥行き終端部の三箇所で接触する大きさに形成されているので、外リンクにチェーンカバーを嵌着する際、垂直切欠部に嵌入した一対の連結ピン端部がガイドとなって、チェーンカバーを外リンクに上方から滑らかに嵌め込むことができ、その後にチェーンカバーをチェーン長手方向にずらすと水平切欠部に連結ピン端部を嵌合させることができる。このように、外リンクに対してチェーンカバーを垂直方向、水平方向に移動させるだけで容易に嵌着することができ、それと共に、この逆の動作でチェーンカバー取り外すことができるので、チェーンカバーの着脱を容易に効率よく行うことができる。
【０００９】
また、前記逆Ｌ字状切欠部の上部における水平切欠部は、嵌合された前記連結ピン端部の外周面が上下部及び奥行き終端部の三箇所で接触する大きさに形成されているので、外リンクにチェーンカバーをがたつかないように取り付けることができる。
【００１０】
さらに、チェーンカバーは、垂直基板に一対の逆Ｌ字状の切欠部が形成されると共に、ピッチラインに略々匹敵する位置より上方の部分がチェーンピッチの２倍の長さを有しているので、それぞれの外リンクにチェーンカバーを上方から嵌め込むと、隣接するチェーンカバー同士端面が接触し、この状態でチェーンカバーを水平方向に移動させるだけで、チェーンカバーをまとめてチェーンに装着することができる。また、チェーンカバーは、ピッチラインに略々匹敵する位置より下方の部分における垂直基板の両端部が傾斜態様で切欠されているので、チェーンがスプロケットに巻き付いて屈曲走行するとき、隣接するチェーンカバー同士の下方の部分における接触干渉を防止することができる。
【００１１】
請求項２に係る本発明によれば、チェーンカバー付きチェーンは、チェーンの大多数の外リンクには、前記請求項１に係る発明のチェーンカバー、すなわち、金属製の水平基板と該水平基板の両端から垂下する一対の垂直基板とで形成された断面コの字状のチェーンカバーが、該垂直基板に形成された一対の逆Ｌ字状切欠部の上部における水平切欠部に、前記外リンクの外側に突出する一対の連結ピン端部の外周面を上下部及び奥行き終端部の三箇所で接触させて嵌合することにより嵌着されているので、チェーンカバーをチェーンに容易に装着することができると共に、装着されたチェーンカバーのがたつきを防止することができる。
【００１２】
チェーンの少なくとも一つの外リンクには、水平基板と該水平基板の両端から垂下する一対の垂直基板とで断面コの字状に形成されたばね鋼製のチェーンカバーが、該垂直基板に形成された一対のピン孔に、前記外リンクの外側に突出する一対の連結ピン端部が嵌合して、該外リンクを挟持するように嵌着され、その他大多数の外リンクには、上記の金属製のチェーンカバーが嵌着されているので、これら金属製のチェーンカバーをチェーンに装着した後に、例えば、残る一つの外リンクに外れ防止用となるばね鋼製のチェーンカバーを嵌着すれば、チェーンに装着された全てのチェーンカバーの水平方向移動が防止されると共に、連結ピン端部が水平切欠部に維持され、チェーンカバーをチェーンから外れないようにすることができる。
【００１３】
また、チェーンに装着された全てのチェーンカバーは、該チェーンの緊張水平状態において、前記各内リンク中央の位置で互いに隣接するチェーンカバーの端面がピッチライン上方において密着すると共に、ピッチライン下方においてテーパ状に離間しているので、チェーンがスプロケットに巻き付いて屈曲走行するとき、隣接するチェーンカバー同士の当接による干渉を防止することができ、全てのチェーンカバーが金属製のものなので、チェーンカバー自体の耐候性を向上させることができる。
【発明を実施するための最良の形態】
【００１４】
本発明の実施例を図１〜図８を参照して説明する。図１はチェーンカバー１１が装着されている部分を示すチェーンカバー付きチェーン１の一部側面図、図２はチェーンカバー付きチェーンの一部平面図、図３は図２におけるＸ３−Ｘ３線断面図、図４は外リンクにチェーンカバーを嵌め込む状態説明図、図５は外リンクにチェーンカバーを嵌着する状態説明図、図６はチェーンカバー付きチェーン１におけるばね鋼製のチェーンカバー１７の装着状態を示す側面図、図７はばね鋼製のチェーンカバーの装着状態を示す平面図、図８は図７におけるＸ８−Ｘ８線断面図である。
【００１５】
チェーンカバー付きチェーン１は、ローラチェーン（以下、単にチェーンという。）２に、後記するようにチェーンカバー１１，１７が装着されて形成される。そして、無端状チェーン２の大多数の外リンク７には、金属製、例えばステンレス製、アルミニウム製の非ばね性のチェーンカバー１１が嵌着され、一つ又は数個の外リンク７にはばね鋼（ＳＵＰ）製のチェーンカバー１７が嵌着される。
【００１６】
図１〜図３に示すように、チェーン２は、内リンク３及び外リンク７が連結ピン９を介して連結されて無端状に形成されている。内リンク３は、内リンクプレート４に穿設された一対のブシュ孔にブシュ５がしまり嵌めされて形成され、このブシュ５にローラ６がすきま嵌めされる。外リンク７は、外リンクプレート８に穿設された一対のピン孔に、ブシュ５に挿入された連結ピン９がしまり嵌めされて形成され、この連結ピン９は先端両端部９ａ，９ａが外リンク７の外側に僅かに突出している。
【００１７】
チェーンカバー１１は、図３に示すように、金属製の水平基板１２と該水平基板１２の両端から垂下する一対の垂直基板１３，１３とで断面コの字状に一体に形成される。このチェーンカバー１１は板ばねのようなばね性が殆どない非ばね性のものである。垂直基板１３には、外リンク７の外側に突出する一対の連結ピン端部９ａ，９ａが嵌入可能な垂直切欠部１４と水平切欠部１５とからなる一対の逆Ｌ字状の切欠部１６，１６が形成されている。
【００１８】
逆Ｌ字状切欠部１６の上部における水平切欠部１５は、嵌入された連結ピン端部９ａの外周面が水平切欠部１５の上下部１５ａ，１５ｂ及び奥行き終端部１５ｃの三箇所に同時接触する大きさに形成される。すなわち、水平切欠部１５は、上下部間が連結ピン９の外径と同程度の間隔を有し、奥行きが連結ピン９の半径より僅かに大きく形成されている。
【００１９】
チェーンカバー１１は、図１に示すように、チェーン２に嵌着された時のピッチラインＰｌの上方の部分１１ａ、すなわちピッチラインＰｌに略々匹敵する位置より上方の部分１１ａがチェーンピッチ（連結ピン９間距離）Ｐの２倍の長さＬ（Ｌ＝Ｐ×２）を有する。それと共に、チェーンカバー１１のピッチラインＰｌに略々匹敵する位置より下方の部分、すなわち垂直基板１３の下方の部分１３ａの両端部が傾斜態様で切欠され、垂直基板１３はピッチラインＰｌに略々匹敵する位置より下方の部分１３ａの幅が徐々に狭くなっている。
【００２０】
チェーンカバー１１を外リンク７に嵌着するときは、図４に示すように、上方から外リンク７の外側に突出する各連結ピン端部９ａが各垂直切欠部１４に嵌入するようにして嵌め込み、次いで、図５に示すように、左方向に移動させて各水平切欠部１５に外リンク７の外側に突出する各連結ピン端部９ａを嵌合させる。チェーンカバー１１をチェーン２に装着する場合、各外リンク７に一つずつチェーンカバー１１を嵌着することは可能であるが、複数の外リンク７にそれぞれ上方からチェーンカバー１１を一つずつ垂直切欠部１４に沿って嵌め込み、次いで、複数のチェーンカバー１１をまとめて左方向に移動させ、水平切欠部１５に外リンク７の外側に突出する連結ピン端部９ａを嵌合させるようにすることも可能であり、このようにするとチェーンカバー１１をチェーン２に効率よく装着することができる。
【００２１】
チェーンカバー付きチェーン１は、チェーン２の大多数の外リンク７にチェーンカバー１１が嵌着されると共に、チェーンカバー１１の移動防止用となるばね鋼製のチェーンカバー１７が外リンク７に嵌着されて形成される。このチェーンカバー１７は、チェーン２に装着されたチェーンカバー１１がチェーン２長手方向にずれないようにするもので、一つだけチェーン２に装着されれば充分であるが、適宜数個装着してもよい。
【００２２】
図６〜図８に示すように、ばね鋼製のチェーンカバー１７は、水平基板１８と該水平基板１８の両端から垂下する一対の垂直基板１９，１９とで断面コの字状に一体に形成されている。このばね鋼製のチェーンカバー１７は、鋼板を断面コの字状に一体に形成した後、熱処理が施されたばね特性を有する板ばね製のものである。垂直基板１９には、外リンク７の外側に突出する一対の連結ピン端部９ａ，９ａに嵌合する一対のピン孔２０，２０が形成されている。
【００２３】
ばね鋼製のチェーンカバー１７は、前記非ばね性のチェーンカバー１１と同一サイズで、同一外観形状のものである。すなわち、ピッチラインＰｌに略々匹敵する位置より上方の部分１７ａがチェーンピッチ（連結ピン９間距離）Ｐの２倍の長さＬ（Ｌ＝Ｐ×２）を有し、チェーンカバー１７の下方の部分である垂直基板１９のピッチラインＰｌに略々匹敵する位置より下方の部分１９ａの両端部が傾斜態様で切欠され、垂直基板１９はピッチラインＰｌに略々匹敵する位置より下方の部分１９ａの幅が徐々に狭くなっている。また、チェーンカバー１７は、チェーン２の外リンク７に嵌着されたとき、ばね性により外リンク７を挟持するようになっている。
【００２４】
チェーンカバー付きチェーン１は、一つの外リンク７を残して、チェーン２の大多数の外リンク７にチェーンカバー１１を装着した後、残る一つの外リンク７にばね鋼製のチェーンカバー１７を上方から嵌め込み、外リンク７の外側に突出している連結ピン端部９ａに垂直基板１９のピン孔を嵌合させて、外リンク７を挟持するように嵌着する。この場合、適宜数個の外リンク７にばね鋼製のチェーンカバー１７を嵌着するようにしても構わない。
【００２５】
上記のように、チェーン２に装着されたチェーンカバー１１及びばね鋼製のチェーンカバー１７は、チェーン２の緊張水平状態において、各内リンク３中央の位置で互いに隣接するチェーンカバー１１，１７の端面がピッチラインＰｌ上方において密着すると共に、ピッチラインＰｌ下方においてテーパ状に離間した状態になって、テーパ状の隙間が形成される。その結果、全てのチェーンカバー１１，１７がチェーン２から外れないようになると共に、スプロケットに巻き付いて走行する場合、下方がテーパ状に離間して隙間が形成されているため、垂直基板１３，１９同士が接触干渉することなくスムーズな屈曲走行が可能となる。
【図面の簡単な説明】
【００２６】
【図１】本発明の実施例を示し、チェーンカバー付きチェーンの一部側面図である。
【図２】チェーンカバー付きチェーンの一部平面図である。
【図３】図２におけるＸ３−Ｘ３線断面図である。
【図４】外リンクにチェーンカバーを嵌め込む状態説明図である。
【図５】外リンクにチェーンカバーを嵌着する状態説明図である。
【図６】ばね鋼製のチェーンカバーの装着状態を示す側面図である。
【図７】ばね鋼製のチェーンカバーの装着状態を示す平面図である。
【図８】図７におけるＸ８−Ｘ８線断面図である。
【符号の説明】
【００２７】
１      チェーンカバー付きチェーン        ２      チェーン
３      内リンク                          ４      内リンクプレート
５      ブシュ                            ６      ローラ
７      外リンク                          ８      外リンクプレート
９      連結ピン                          ９ａ    連結ピン端部
１１    チェーンカバー                    １１ａ  チェーンカバーの上方の部分
１２    水平基板                          １３    垂直基板
１３ａ  垂直基板の下方の部分              １４    垂直切欠部
１５    水平切欠部                        １５ａ，１５ｂ    水平切欠部の上下部
１５ｃ  水平切欠部の奥行き終端部          １６    逆Ｌ字状の切欠部
１７    ばね鋼製のチェーンカバー          １７ａ  チェーンカバーの上方の部分
１８    水平基板                          １９    垂直基板
１９ａ  垂直基板の下方の部分              ２０    ピン孔
Ｐｌ    ピッチライン                      Ｐ      チェーンピッチ
Ｌ      チェーンカバーの上方の部分の長さ
【図１】
2006307883.tif 000003
【図２】
2006307883.tif 000004
【図３】
2006307883.tif 000005
【図４】
2006307883.tif 000006
【図５】
2006307883.tif 000007
【図６】
2006307883.tif 000008
【図７】
2006307883.tif 000009
【図８】
2006307883.tif 000010